(57)【要約】【課題】ボルトの締め付け作業位置に制約がなく取付作業が簡便であり、しかも締結後のボルト頭を天板で覆うことができるテーブルのフレーム構造を提供すること。【解決手段】天板２と、支柱に取り付けられた支持フレーム１０と、該支持フレーム１０同士を連結する連結フレーム２０とからなるテーブルのフレーム構造において、上面を開口１３した支持フレーム１０の前後端部１４と、連結フレーム２０の係合部とを凹凸係合（１１，２１）させ、前記支持フレーム１０の係合部に穿設した挿通孔１１ｂに連通する前記連結フレーム２０の係合部に穿設した螺合孔２２に締結具５０を前記開口１３側から締結することによって、前記支持フレーム１０と連結フレーム２０とを締結したフレーム構造。【選択図】図５
2007125166.tif 000002
【特許請求の範囲】
【請求項１】
天板と、左右の支柱に取り付けられた前後方向を向く少なくとも左右一対の支持フレームと、該支持フレーム同士を連結する連結フレームとからなるテーブルのフレーム構造であって、上面を開口した支持フレームの前後端部と、連結フレーム同士の対向し合う内側の係合部と、を凹凸係合させ、該凹凸係合は、一方を係合溝、他方を係合突部で構成し、前記支持フレームの凹凸係合部に穿設された挿通孔に連通する前記連結フレームの螺合孔に締結具を前記開口側から螺着することによって、前記支持フレームと連結フレームとを締結したことを特徴とするテーブルのフレーム構造。
【請求項２】
前記凹凸係合のうち、係合溝または係合突部の何れかを前記連結フレームの内側面における左右方向の略全長に渡って設けるとともに、この係合溝または係合突部に前記螺合孔を適宜の間隔を置いて複数穿設した請求項１に記載のテーブルのフレーム構造。
【請求項３】
前記凹凸係合により係合する前記係合溝と係合突起の係合面は、テーパ面で構成されている請求項１または２に記載のテーブルのフレーム構造。
【請求項４】
前記テーパ面は下方に向けて狭くなる傾斜面とし、前記テーパ面と直交する方向に前記螺合孔および挿通孔が形成されている請求項３に記載のテーブルのフレーム構造。
【請求項５】
前記連結フレームの下面には、下向きに開口するボルト頭が収納できる溝部が形成され、該溝部から上方に向かって貫通する貫通孔が穿設され、該貫通孔を介してボルトで前記天板が螺着される請求項１乃至４のいずれかに記載のテーブルのフレーム構造。
【請求項６】
前記支持フレームを前後一対の支持杆から構成した請求項１乃至５のいずれかに記載のテーブルのフレーム構造。
【請求項７】
前記左右一対の支柱には、それぞれが対向する方向に向く天板支持具が突設され、該天板支持具は前記天板を下方より止着可能である請求項１乃至６のいずれかに記載のテーブルのフレーム構造。
【請求項８】
前記連結フレーム、前記支持フレーム、および前記天板支持具の各上面は、互いに連結された状態において略同じ高さ位置で整合する請求項７に記載のテーブルのフレーム構造。
【発明の詳細な説明】
【技術分野】
【０００１】
本発明は、天板と、左右の支柱に取り付けられた前後方向を向く少なくとも左右一対の支持フレームと、該支持フレーム同士を連結する連結フレームとからなるテーブルのフレーム構造に関する。
【背景技術】
【０００２】
従来、上面視横長矩形状のテーブルのフレーム構造として、左右に離間され天板の角部近傍下部に４つの支持脚が配置され、天板の前後端側部の長手方向を支持する側部フレームと、天板の左右両端側部を支持する端部フレームとが、各々支持脚に設けられた上面視Ｌ字状のコーナー連結部材を介してボルトで連結され、天板を支持する矩形の枠体が形成されているものが知られている。
【０００３】
そしてコーナー連結部材と側部フレーム及び端部フレームとの連結に際しては、先ずコーナー連結部材に設けた嵌合突起を側部フレームあるいは端部フレームに形設した取り付け嵌合溝に差し込み、側部フレームあるいは端部フレームの内側面からボルトを介して固定していた。（例えば、特許文献１参照）。
【０００４】
【特許文献１】特開２００５−１８５６４１号公報（段落００２２、図１，５）
【発明の開示】
【発明が解決しようとする課題】
【０００５】
しかしながら、特許文献１にあっては、コーナー連結部材と側部フレームあるいは端部フレームとの連結に際し、側部フレームあるいは端部フレームの内側面に回り込んでボルト締結しなければ成らず、ボルトの締め付け作業位置に制約があった。また側部フレームと端部フレームを支持脚に組み付けた後、天板を取り付けて上面を覆った場合、締結後のボルト頭は直には見えないが、天板を底の方から除くとボルト頭が剥き出しに見えてしまい、見栄えを完全に満足するものではなかった。
【０００６】
本発明は、このような問題点に着目してなされたもので、ボルト等の締着具の締め付け作業位置に制約がなく取付作業が簡便であり、しかも締結後の締着具を天板で覆い隠すことができるテーブルのフレーム構造を提供することを目的とする。
【課題を解決するための手段】
【０００７】
上記課題を解決するために、本発明の請求項１に記載のテーブルのフレーム構造は、天板と、左右の支柱に取り付けられた前後方向を向く少なくとも左右一対の支持フレームと、該支持フレーム同士を連結する連結フレームとからなるテーブルのフレーム構造であって、上面を開口した支持フレームの前後端部と、連結フレーム同士の対向し合う内側の係合部と、を凹凸係合させ、該凹凸係合は、一方を係合溝、他方を係合突部で構成し、前記支持フレームの凹凸係合部に穿設された挿通孔に連通する前記連結フレームの螺合孔に締結具を前記開口側から螺着することによって、前記支持フレームと連結フレームとを締結したことを特徴としている。
この特徴によれば、挿通孔と螺合孔の位置を合わせ、係合溝と係合突起を凹凸係合することで、支持フレームの締結位置に連結フレームを容易に仮固定でき、フレーム構造の組立がし易い。また、締結具を支持フレームの上面の開口から挿通孔を介して、連結フレームの螺合孔に向けて螺合するので、作業者はどの位置からでも直に連結フレームと支持フレームとを締結することができる。そして、天板をフレーム構造に取り付けた際には、支持フレームの上面が覆われることから、締結具が外部に露出することがない。
【０００８】
本発明の請求項２に記載のテーブルのフレーム構造は、請求項１に記載のテーブルのフレーム構造であって、前記凹凸係合のうち、係合溝または係合突部の何れかを前記連結フレームの内側面における左右方向の略全長に渡って設けるとともに、この係合溝または係合突部に前記螺合孔を適宜の間隔を置いて複数穿設したことを特徴としている。
この特徴によれば、連結フレームの略全長に渡って設けた係合溝または係合突部に適宜の間隔を置いて螺合孔を複数穿設することにより、支持フレームの取付位置や取付本数を螺合孔の位置に合わせて適宜選択して設定でき、天板の重量や大小に応じて対応可能である。
【０００９】
本発明の請求項３に記載のテーブルのフレーム構造は、請求項１または２に記載のテーブルのフレーム構造であって、前記凹凸係合により係合する前記係合溝と係合突起の係合面は、テーパ面で構成されていることを特徴としている。
この特徴によれば、係合溝と係合突起とが互いにテーパ面を有するので、支持フレームと連結フレームの締結時に両者のテーパ面同士が密着されることで、両フレームの連結強度の向上が図られる。
【００１０】
本発明の請求項４に記載のテーブルのフレーム構造は、請求項３に記載のテーブルのフレーム構造であって、前記テーパ面は下方に向けて狭くなる傾斜面とし、前記テーパ面と直交する方向に前記螺合孔および挿通孔が形成されていることを特徴としている。
この特徴によれば、テーパ面が下方に向けて傾斜され、テーパ面と直交した方向に螺合孔および挿通孔が形成されているので、締結具を支持フレームの開口側から挿通孔を介して螺合孔に向けて締着し易くなる。
【００１１】
本発明の請求項５に記載のテーブルのフレーム構造は、請求項１乃至４のいずれかに記載のテーブルのフレーム構造であって、前記連結フレームの下面には、下向きに開口するボルト頭が収納できる溝部が形成され、該溝部から上方に向かって貫通する貫通孔が穿設され、該貫通孔を介してボルトで前記天板が螺着されることを特徴としている。
この特徴によれば、連結フレームの下面の溝部から貫通孔を介して、ボルトが天板の下面に螺着したときに、ボルト頭が溝部内に収納できるので、外部から露呈することなく、利用者のテーブル使用時においても手や服等への引っ掛かりが防止される。
【００１２】
本発明の請求項６に記載のテーブルのフレーム構造は、請求項１乃至５のいずれかに記載のテーブルのフレーム構造であって、前記支持フレームを前後一対の支持杆から構成したことを特徴としている。
この特徴によれば、支持フレームが前後一対の支持杆で構成されているので、天板の前後幅が異なる各種の天板に対して、種々の長さの支持杆を選択することで対応できる。
【００１３】
本発明の請求項７に記載のテーブルのフレーム構造は、請求項１乃至６のいずれかに記載のテーブルのフレーム構造であって、前記左右一対の支柱には、それぞれが対向する方向に向く天板支持具が突設され、該天板支持具は前記天板を下方より止着可能であることを特徴としている。
この特徴によれば、一対の支柱にそれぞれ突設した天板支持具により天板を止着することができるので、特に天板の前後寸法が大きなものである場合においても、その重量を天板支持具を介して支柱で受けて、天板の中央部での撓みをより効果的に防止することができる。
【００１４】
本発明の請求項８に記載のテーブルのフレーム構造は、請求項７に記載のテーブルのフレーム構造であって、前記連結フレーム、前記支持フレーム、および前記天板支持具の各上面は、互いに連結された状態において略同じ高さ位置で整合することを特徴としている。
この特徴によれば、連結フレームおよび支持フレーム、そして天板支持具の上面が同高さで面一となり、これら部材の上面で天板の下面が安定して支持されるだけでなく、天板との間に隙間が生じていないので外部からの体裁もよい。
【発明を実施するための最良の形態】
【００１５】
本発明の実施例を以下に説明する。
【実施例１】
【００１６】
図１は、本発明の実施例１におけるフレーム構造を用いたテーブルの全体像を示す斜視図であり、図２は、テーブルの分解組立斜視図であり、図３（ａ）は、連結フレームおよびカバー部材を示す正面図であり、図３（ｂ）は、図３（ａ）のＡ−Ａ線の断面図であり、図３（ｃ）は、図３（ａ）のＢ−Ｂ線の断面図であり、図４（ａ）は、支持フレームの係合突部に連結フレームの係合溝を嵌入する過程を示す断面図であり、図４（ｂ）は、ボルトで連結フレームと支持フレームとを締結する過程を示す平面図であり、図５（ａ）は、図４（ｂ）のＣ−Ｃ線の断面図であり支持杆に連結フレームがボルトで締結された状態が示され、図５（ｂ）は、図４（ｂ）のＤ−Ｄ線の断面図であり連結フレームに天板がボルトで連結された状態が示されている。
【００１７】
以下、本実施例の説明において、図１に示されたテーブル１に対面した状態で見て、テーブル１の手前側を前方とし、テーブル１の奥行き側を後方とし、左手側を左方、右手側を右方として説明する。図１および図２に示されるように、テーブル１は、主に上面視横長矩形状に形成された天板２と、この天板２の長手方向を支持すべく前後に対向して左右方向に向けて延設された一対の連結フレーム１９，２０および天板２の左右両端側部を支持すべく左右に対向して前後方向に向く一対の支持杆９，１０から構成される左右の支持フレーム８，８から成るフレーム構造と、この支持フレーム８，８が連結される左右の支柱３，３および該支柱３，３の下部に連結され床面６０に設置された前後方向を向く一対のベース脚５，６から成る脚体４，４と、から構成され、例えば、企業の会議室や図書館、学校等の教室にて利用可能になっている。
【００１８】
連結フレーム１９，２０と支持杆９，１０とは、前方側に配置の左右の支持杆９，９の前端に連結フレーム１９が連結されるとともに、後方側に配置の左右の支持杆１０，１０の後端に連結フレーム２０が連結されることで、上面視横長矩形状のフレームが構成され、このフレーム構造を介して天板２が脚体４，４に支持される構成になっている。尚、本実施例において、連結フレーム１９，２０および支持フレーム８（支持杆９，１０）、そして支柱３，３およびベース脚５，６はアルミ合金で成型されていることから、軽量で持ち運べ易く且つ強度的にも優れているが、本発明はこれに限定されるものではなく、例えば、これらの部材を他の材質として強度のある硬質のプラスチック材を用いて成型しても良い。
【００１９】
特に図示しないが、予め支持杆９，１０は支柱３の上端から下方に向けてボルトで連結固定されており、同様にベース脚５，６は支柱３の下端から上方に向けてボルトで連結固定されたことで、側面視エ字状に一体でテーブル１の脚体４，４として構成されている。また、連結フレーム１９，２０の左右端部には、ＡＢＳ樹脂材からなるカバー部材３０が各々取り付け可能になっている。
【００２０】
次に、連結フレーム１９，２０および支持フレーム８を構成する支持杆９，１０について具体的に説明するが、前後の連結フレーム１９，２０および支持杆９，１０は、それぞれ前後対称の同一構造のため、連結フレーム２０および支持杆１０のみの連結構造を説明することとし、連結フレーム１９および支持杆９については割愛して以下に説明する。
【００２１】
図３（ａ）〜（ｃ）に示されるように、連結フレーム２０の内側面２８には左右方向の全長に渡って、後方に向けて凹設された係合溝２１が形成されており、係合溝２１には、下方に向けて狭く傾斜したテーパ面２１ａが形成され、係合溝２１の長手方向に沿って螺合孔２２が内部に向けて穿設されている。螺合孔２２はテーパ面２１ａと直交する方向に形成されている。尚、特に図示しないが係合溝２１には所定間隔を置いて、同様の螺合孔２２，２２・・・が２個で１組として複数箇所に穿設されており、後述する支持杆１０の取付位置や取付本数を適宜選択可能になっており、天板の重量や大小に応じて対応可能である。
【００２２】
連結フレーム２０の端部２７には、左右に貫通する嵌入孔２６ａ，２６ｂが前後に形成され、前述の螺合孔２２が嵌入孔２６ｂに貫通して穿設されている。尚、端部２７に取り付けられるカバー部材３０には、前後に挿入部３０ａおよび３０ｂが凸設されており、嵌入孔２６ａに挿入部３０ａが、嵌入孔２６ｂに挿入部３０ｂが取れないようにそれぞれきつく嵌入している。これにより嵌入孔２６ａ，２６ｂが閉塞され見栄えが良くなるとともに、金属端面２７での引っ掛かり等が防止され安全性が高められている。
【００２３】
連結フレーム２０の下面２４には、下向きに開口する溝部２５が左右方向の全長に形成され、溝部２５から嵌入孔２６ｂまで上下方向に貫通する貫通孔２５ａが形成されるとともに、同様にして嵌入孔２６ｂから上面２３まで貫通する貫通孔２３ａが形成されており、また連結フレーム２０の上面２３はフラットに形成されている。この溝部２５の長さは天板取付のためのボルトが螺着されたときに、少なくともボルト頭が隠れるような長さに設定されている。
【００２４】
図４（ａ）（ｂ）に示されるように、支持杆１０の後方の端部１４には、後方に向けて凸設される係合突部１１が形成され、係合突部１１には下方に向けて狭く傾斜したテーパ面１１ａが形成されている。支持杆１０の上面１２には前後方向に所定間隔で上方を向く複数の開口が形成されると共に、複数の補強用リブ１２ａが形成されている。特に後端部１４側の開口は深めに凹没された凹部１３となっている。係合突部１１にはテーパ面１１ａと直交する方向で凹部１３まで貫通する挿通孔１１ｂが２個形成されている。この係合突部１１が連結フレーム２０の係合溝２１に嵌め込まれて凹凸係合されるように構成されている。
【００２５】
次に、支持杆１０に連結フレーム２０を組み付け、天板２を支持する組立手順に付き図４および図５に基づいて説明する。
【００２６】
まず、図４（ａ）に示されるように、支持杆１０の挿通孔１１ｂと連結フレーム２０の螺合孔２２が重なる位置で、係合突部１１に向けて係合溝２１を嵌入させることで凹凸係合され、支持杆１０に連結フレーム２０が仮固定される。凹凸係合時にはテーパ面１１ａとテーパ面２１ａとが密着されるとともに端部１４と内側面２８は付け合わさり、螺合孔２２と挿通孔１１が重なって前後斜め方向に連通される。
【００２７】
そして、図４（ｂ）に示されるように、支持杆１０に連結フレーム２０が仮固定された状態で、締結具であるボルト５０を２本用いて凹部１３の上方から一対の挿通孔１１ｂ，１１ｂに向けて、それぞれ矢印に示される方向に挿通させていく。ボルト５０の回動操作は直接指での操作や公知のドライバ工具による操作でも良いが、図５（ａ）に示されるように、ボルト５０の取り付け作業を容易かつ確実に行うため本実施例では六角レンチ５５を用いて作業が行われる。挿通孔１１ｂおよび螺合孔２２は、テーパ面１１ａ，２１ａに直交するように配置されているので、ボルト５０を凹部１３の開口側から斜め方向に挿通孔１１ｂを介して螺合孔２２に向けて締着し易い構成になっている。
【００２８】
そこで、ボルト５０が六角レンチ５５の操作により、凹部１３の上方から挿通孔１１ｂを介して、連結フレーム２０の螺合孔２２に向けて螺合し締め込まれていくことで、連結フレーム２０が直に支持杆１０に締結される。
【００２９】
そして、ボルト５０による支持杆１０と連結フレーム２０の締結時には、係合突部１１と係合溝２１の凹凸係合によって、両者のテーパ面１１ａ，２１ａ同士が密着されることで密着面積が大きく確保され、両部材１０，２０の連結強度の向上が図られている。このようにして、図２に示された他の支持杆９および連結フレーム１９も同様にして、締結具であるボルト５０を介して締結され、前後に連結フレーム１９，２０、左右に前後一対の支持杆９，１０からなる支持フレーム８，８で、天板２を支持するフレーム構造が簡素に構成される。
【００３０】
以上の説明から、ボルト５０の締結のみで支持フレーム８，８に連結フレーム１９，２０を簡便に締結できるので、例えば、左右幅の長い天板を用いる場合には連結フレームを長尺のものに替えるだけで容易に対応できる。さらに、支持フレーム８，８が前後一対の支持杆９，１０から構成されたことで、前後幅の長さが異なる天板であっても、最適な長さの支持杆９，１０を使用することで容易に対応できる。
【００３１】
次いで、天板の取付手段について図５（ｂ）に基づき説明すると、天板２の下面２ｂ外周囲にはボルト穴２ａが複数形成されており、このボルト穴２ａと連結フレーム２０の貫通孔２３ａの位置を合わせるように天板２を支持杆１０および連結フレーム２０の上面１２，２３に載置する。そして、ボルト５１を連結フレーム２０の溝部２５より上方に向けて、貫通孔２５ａ，嵌入孔２６ｂ，貫通孔２３ａを介して、ボルト穴２ａに螺着して天板２を固定する。特に図示しないが連結フレーム１９にも同様にしてボルト５１で天板２の下面２ｂとが螺着される。
【００３２】
つまり、本実施例においては、連結フレーム１９，２０の左右端部の四箇所、天板の大きさに応じてその他中央側の複数箇所で天板２が螺着されている。尚、ボルト５１のボルト頭５１ａは、溝部２５内に収納されることから、外部から露呈することなく遮蔽され見栄えも高められるとともに、利用者のテーブル１の使用時においてもボルト頭５１ａが下方（外方）に突設されることなく、利用者の手や服等への引っ掛かりが防止され安全性も高められている。
【００３３】
また、支持杆１０と連結フレーム２０の上面１２，２３の高さは、これら両部材１０，２０が互いに連結された状態において同一の高さで整合され、天板２の下面２ｂに当接するように面一で形成され、特に図示しない支持杆９と連結フレーム１９が互いに連結された状態においても、上面１２，２３の高さと同一に整合されることから、天板２と支持杆９，１０および連結フレーム１９，２０の間に隙間を生じさせずに外部からの体裁もよく、これら部材１０，２０の上面１２，２３で天板２の下面２ｂが安定して支持されガタツキを生じさせることもない。
【００３４】
さらに、この天板２の取り付けによって、支持杆１０の凹部１３の上面が覆われることから、締結具であるボルト５０のボルト頭５０ａが外部に露出することなく、特に図示しない支持杆９も同様の構成であり、これらの凹部１３の開口が完全に閉蓋され、ボルト頭５０ａを露出させずに外部からの見栄えを損なうことがない。
【実施例２】
【００３５】
次に、本発明の実施例２を図６に基づいて説明する。図６（ａ）は、本発明の実施例２におけるテーブルのフレーム構造を示す一部破断平面図であり、図６（ｂ）は、テーブルの全体像を示す平面図である。尚、以下の実施例２において前述の実施例１と同様の構造部分に関しては、同一の符号を付すことにより詳細な説明は省略することにする。
【００３６】
図６（ａ）に示されるように、左右一対の支持フレーム８’，８’をそれぞれ構成する支持杆９’、支持杆１０’において、支持杆９’の後端近傍上面２３’および支持杆１０’の前端近傍上面２３’’よりも一段低くなった一対の段部１２ｂ，１２ｂ’が形成され、この段部１２ｂ，１２ｂ’には、下方に向けてボルト穴９ａ’，１０ａ’が形成されている。
【００３７】
段部１２ｂ，１２ｂ’には、天板支持具４０，４１の他端側を取り付け可能になっており、天板支持具４０，４１の一端側が互いに向かい合うように内側に突設されている。天板支持具４０，４１には、上下に貫通するボルト孔４４が前後左右で４箇所形成される他に、ボルト穴９ａ’，１０ａ’のための連結孔４３，４３’が２箇所形成されている。
【００３８】
これら天板支持具４０，４１を支持フレーム８’，８’に取り付けるには、天板支持具４０，４１の他端側を段部１２ｂ，１２ｂ’内に載置し、ボルト穴９ａ’に前方の連結孔４３を重ね合わせるとともに、ボルト穴１０ａ’に後方の連結孔４３’を重ね合わせ、上方より２本のボルト５２，５２をそれぞれの連結孔４３，４３’に挿通して、対応するボルト穴９ａ’、１０ａ’に螺合することで、支持フレーム８’に天板支持具４０が連結固定される。
【００３９】
尚、この取り付けによって天板支持具４０，４１も支持フレーム８’，８’および連結フレーム１９，２０から構成されるフレーム構造の一部となるとともに、連結フレーム１９，２０の高さおよび、支持フレーム８’，８’の高さ、そして天板支持具４０の高さとが、整合された状態となる。つまり、支持フレーム８’，８’および連結フレーム１９，２０、そして天板支持具４０の上面が同じ高さで面一となり、これら部材に天板２を載置した際に、天板２との間に隙間を生じさせずに外部からの体裁もよく、これら部材の上面で天板２の下面が安定して支持されガタツキも生じさせない。
【００４０】
次いで、左右の天板支持具４０，４１の下方からボルト孔４４に向けて、図６（ｂ）に示されるように、ボルト５１’を上方に向けて貫通させ、特に図示しないが天板２’の下面に予め形成されたボルト穴に螺合することで、天板２’の左右端側の前後中間位置が天板支持具４０，４１に止着される。また、天板２’の４箇所の角部は実施例１と同様にボルト５１で連結フレーム１９，２０の図６（ａ）に示される各貫通孔２３ａを介して止着される。
【００４１】
以上の説明により実施例２では、一対の支持フレーム８’，８’にそれぞれ突設した天板支持具４０，４１に天板２を止着したことで、天板２の前後中間位置の撓みが確実に防止される。特に天板２の前後寸法を大とした場合において、天板支持具４０，４１を支持フレーム８’，８’の前後中間位置に設けて止着した場合には、天板２’の中央部での撓みが、より効果的に防止され天板２’の使用時に何ら不都合を生じさせることはない。
【００４２】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、係合溝２１および係合突部１１の係合面をテーパ面１１ａ，２１ａとしたことで、このテーパ面同士が接合され連結強度が向上することから好ましいが、本発明は必ずテーパ面を構成しなければならないものではなく、垂直面で当接し合う通常の凹凸係合でも良い。
【００４３】
また、上記実施例では、支持フレーム８を前後一対の支持杆９，１０から構成したことで、天板２の前後幅の長さに合わせて適宜前後の長さを調整できることから好ましいが、本発明はこれに限定されるものではなく、支持フレーム８を一本の支持杆で構成しても良いことは言うまでもなく、前後に長さ調整を行える伸縮可能な支持フレームであっても良い。
【００４４】
また、上記実施例では、支持フレーム側に係合突部１１、連結フレーム側に係合溝２１を設けた例で説明したが、逆に、支持フレーム側に係合溝、連結フレーム側に係合突部を設けても良い。また、天板とフレーム構造との止着は、ボルトによる螺着で例で説明したが、螺着であればボルトに限らずネジ等の他のいかなる締着具であっても良い。更に螺着する箇所は、主として、連結フレームだけで説明したが、支持フレームにもリブ等を利用してボルト挿入孔して天板と螺着させている。
【図面の簡単な説明】
【００４５】
【図１】本発明の実施例１におけるフレーム構造を用いたテーブルの全体像を示す斜視図である。
【図２】テーブルの分解組立斜視図である。
【図３】（ａ）は、連結フレームおよびカバー部材を示す正面図であり、（ｂ）は、図３（ａ）のＡ−Ａ線の断面図であり、（ｃ）は、図３（ａ）のＢ−Ｂ線の断面図である。
【図４】（ａ）は、支持フレームの一部である支持杆の係合突部に連結フレームの係合溝を嵌入する過程を示す断面図であり、（ｂ）は、ボルトで連結フレームを支持杆に締結する過程を示す平面図である。
【図５】（ａ）は、図４（ｂ）のＣ−Ｃ線の断面図であり支持杆に連結フレームがボルトで締結された状態が示され、（ｂ）は、図４（ｂ）のＤ−Ｄ線の断面図であり連結フレームに天板がボルトで連結された状態が示されている。
【図６】（ａ）は、本発明の実施例２におけるテーブルのフレーム構造を示す一部破断平面図であり、（ｂ）は、テーブルの全体像を示す平面図である。
【符号の説明】
【００４６】
１、１’                テーブル
２、２’                天板
２ａ                    ボルト穴
２ｂ                    下面
３                      支柱
３ａ                    孔蓋
４                      脚体
５、６                  ベース脚
８、８’                支持フレーム
９、９’                支持杆（支持フレームの一部）
９ａ’                  ボルト穴
１０、１０’            支持杆（支持フレームの一部）
１０ａ’                ボルト穴
１１                    係合突部（係合部の一部）
１１ａ                  テーパ面
１１ｂ                  挿通孔
１２                    上面
１２ａ                  リブ
１２ｂ、１２ｂ’        段部
１３                    凹部
１４                    端部
１９、２０              連結フレーム
２１                    係合溝（係合部の一部）
２１ａ                  テーパ面
２２                    螺合孔
２３、２３’、２３’’    上面
２３ａ                  貫通孔
２４                    下面
２５                    溝部
２５ａ                  貫通孔
２６                    端部
２６ａ、２６ｂ          嵌入孔
２７                    端部
２８                    内側面
３０                    カバー部材
３０ａ、３０ｂ          挿入部
４０、４１              天板支持具
４２                    上面
４３、４３’            連結孔
４４                    ボルト孔
５０                    ボルト（締結具）
５０ａ                  ボルト頭（締結具の頭部）
５１、５１’            ボルト
５１ａ                  ボルト頭
５２                    ボルト
５５                    六角レンチ
６０                    床面
【図１】
2007125166.tif 000003
【図２】
2007125166.tif 000004
【図３】
2007125166.tif 000005
【図４】
2007125166.tif 000006
【図５】
2007125166.tif 000007
【図６】
2007125166.tif 000008